(57)【要約】【課題】歩行中歩行者が、現在歩いている歩数を停まって表示カウンタを見なくてもおよその歩数を確認できること。【解決手段】伴走器のマイコン内に複数の出力ポートと記憶部を有し、該記憶部に複数の記憶した設定歩数を節目とし更に指定音階が記憶されており、歩行中呼び出しスイッチを押し、歩行と同時に出力する記憶した平均の１歩の出力を加算カウントしながら、うち一つの記憶した指定音階で前記うち一つの出力ポートより繰り返し出力する、前記伴走器であって、平均の１歩の出力が設定歩数を節目としたカウントになると、別の記憶した指定音階又は音色で別の出力ポートより出力することを特徴とする。【選択図】図１
0003147116.tif 000002
【実用新案登録請求の範囲】
【請求項１】
伴走器のマイコン内に複数の出力ポートと記憶部を有し、該記憶部に複数の設定歩数を節目とし更に指定音階又は音色が記憶されており、歩行中呼び出しスイッチを押し、歩行と同時に出力する記憶した平均の１歩の出力を加算カウントしながら、うち一つの記憶した指定音階又は音色で前記うち一つの出力ポートより繰り返し出力する、前記伴走器であって、平均の１歩の出力が設定歩数を節目としたカウントになると、別の記憶した指定音階又は音色で別の出力ポートより出力する事を特徴とする随時記憶呼び出し健康補助伴走器。
【請求項２】
前記複数の出力ポートのうち一つからの出力をマイコン外部の電流制限用の抵抗Ｒ１と抵抗Ｒ２を通り出力し、前記別の出力ポートよりの出力は、前記抵抗Ｒ２を通り出力する事により音量調節が出来ることを特徴とする請求項１記載の随時記憶呼び出し健康補助伴走器。
【考案の詳細な説明】
【技術分野】
【０００１】本考案は、歩行者が歩行中歩数カウントの節目に音階又は音色の違いにより、およその歩数を確認できる技術に関するものである。
【背景技術】
【０００２】従来、歩行中単音階又は音色発音するだけの機能の歩数計では、音が単純に続くだけなので疲れまた歩数を確認する時は主に、一旦止まって歩数計の表示を確認する方法が殆どであった、報知する方法も一部は下記の引用文献のように、
引用文献（実新Ｈ０２−１３８３６９）は、時間が経過する毎に音程、音調、発音回数が変化すると記述されていますが、これらは同じ周波数で発音回数を変化させたことによるものであり、歩数ではなく何時間歩行しているかを知ることが目的となっています。
引用文献（特開２０００−２５３７００）多数の音階を記憶した後、その音階を足踏みの着地の時間間隔によって音階の発音時間の長さを変化さし、記憶した音階を一連の楽曲（曲目）として出力する、設定歩数がないためこれでは現在歩行中およその歩数は確認できません、特に１万歩以上になると耳も疲れる。
【考案の開示】
【考案が解決しようとする課題】
【０００３】本考案は歩行中歩行者が、現在歩いている歩数を停まって表示カウンタを見なくても、およその歩数を確認できることを一つの目的とした、そのため歩行中連続して一つのポートより出力する平均の１歩を、基本ペースの一つの音階又は音色（例えばドの１０４６、５Ｈｚと異なる発音体）と、ある節目の歩数（例えば５歩、１０歩、１００歩など）を複数の別の音階又は音色に分ける事にすると、現在どのくらい歩行しているかが確認できることを課題としました。【０００４】しかし数年間歩行中聴くと静かなところでは節目の音階又音色はも充分聴こえるが、周囲が騒音の出ている処では節目の音が聴き取りにくくなることが判明したが電源電圧も限られていることで、これらの問題点を除くことを考案の課題とした。
【課題を解決するための手段】
【０００５】その為、伴走器のマイコン内に複数の出力ポートと記憶部を有し、該記憶部に複数の設定歩数を節目とし更に指定音階又は音色が記憶されており、歩行中呼び出しスイッチを押し、歩行と同時に出力する記憶した平均の１歩の出力を加算カウントしながら、うち一つの記憶した指定音階又は音色で前記うち一つの出力ポートより繰り返し出力する、前記伴走器であって、平均の１歩の出力が設定歩数を節目としたカウントになると、別の記憶した指定音階又は音色で別の出力ポートより出力することを特徴とすることが出来た。【０００６】前記複数の出力ポートのうち一つからの出力をマイコン外部の電流制限抵抗Ｒ１と抵抗Ｒ２を通り出力し、前記別の出力ポートよりの出力は、前記抵抗Ｒ２を通り出力する事により音量調節が可能となった。
【考案の効果】
【０００７】歩行中に表示カウンタを見なくても、およその歩行カウントが確認することが出来る事と節目の音階又は音色以外を小さくすると音の煩わしさが少なくなり耳の疲れも減る。
例えば１０００歩で音が変わると自分の１０００歩の距離と時間感覚がわかると、同時に負担のかかる歩行を差し控えることも出来る。【０００８】又老人の歩調を入れた伴走器を動作すると節目の歩数で所要時間計れば災害時老人が移動できる時間が出るため災害訓練時に実施しなくても卓上で使用できる。【０００９】腕に付ける血圧計に伴走器を接続し、例えば５０歩でスリープにして血圧計を動作すると歩行、ジョギング前の体調の確認をして、体調の悪い時は控えることもできる。
【考案の実施するための最良の形態】
【００１０】出力する音階の周期と発音の長さを作成する又音色についてはピアノ、フルートなど同じ音階でも発音体が違うと音色は異なるが本願は音階を中心として説明を行う。
例えば低い（ド）の周期（９５５μｓ）／（マイコンの１実行クロック）＝周期の実行数次に発音時間／（ド）の周期＝周期のループ回数をだしそしてメモリ内の音長カウンタと周期を管理するカウンタに入れ、周期の数を回数ループするプログラムを作成保存する。（レ）、に対しても同様の設定方法で周期８５１μｓにて行う。（ミ）、７５８μｓ。（ファ）、７１４μｓ。（ソ）、６３７μｓ。（ラ）、５６８μｓ。（シ）、５０６μｓ。（高いド）、４７７μｓ。その他の音階又は音色（周期）の保存も可能である、又音階の設定は耳障りの良い音にするため周期を少し変更する。
【００１１】複数の歩数の節目（人により異なるが、例えば５歩、１０，２０，５０、千歩、千５百歩、５千歩、１万歩など）を最終設定歩数までを１０から２０段階に区切る設定する。
スリープ状態から歩行中呼び出しスイッチ（ＳＷ）を押すと入力待機状態となる伴走器であって、始動時の１歩の入力が入ると、データエリアに記憶した平均の１歩の時間を呼び出し消費してタイマー値をクリアし出力する、その１歩をインクリメントすると「＋１」が歩数カウンタに加算カウントされ、チャート図１の一連のプログラムを実行する。平均の１歩の入力に対し設定した歩数（設定歩数）を節目としたカウント歩数以外（歩数カウンタとプログラムに書き込んだ設定歩数を判定して同数でない歩数）の平均の１歩は、記憶部よりうち一つの記憶した指定音階を呼び出し、うち一つの出力ポートより出力しながら、（リセット入力ＳＷ図２（２）、スリープＳＷ図２（５）からの割り込みを確認し、時間を消費する手段）一連の手段を繰り返し実行する伴走器のメインループのプログラム内に、各々設定歩数を節目としメモリに書き込み保存する。
【００１２】順次入力する平均の１歩が、歩数カウンタと書き込んだ設定歩数を比較して同数と判定したとき、別の各々の指定音階を記憶部より呼び出し、別の出力ポートより出力し最終歩数の手前のチャート図１の  ※印の処へジャンプし、基のプログラムに戻り一連の手段を行い、ループを実行し基に戻る。
【００１３】そして最終設定歩数なると、同様な処理がされ同数と判定すると記憶エリアより指定した別の音階を呼び出し別のポートより出力した後、音を消し消費電流を減らすスリープ状態になる、これで一連の実行を完了するプログラムの作成を行う。尚、ブロック図２のように例えば一つの出力ポートにはマイコン外に電流制限用の抵抗（抵抗以外も可能である）Ｒ１，Ｒ２が直列に接続され、また別の出力ポートはＲ１，Ｒ２の間に接続されている、そしてイヤホンなどを接続するため伴走器の（入力出力部兼用）入出力部へ繋がる。プログラムを変更すると一つのポートから出力することも可能であり、平均の１歩でなく、左右の１歩づつの歩数をカウントする方法でも可能である、又音でなく光を変化することも、考案の範囲内である。
【実施例】
【００１４】例えば平均の１歩が入ると一つの低い（ド）の音階を出力するループのプログラムが開始されると、歩数カウンタを加算したのち、設定保存した設定した歩数（設定歩数）を節目とし、１００歩とすると１歩から９９歩と１０１歩から次の設定歩数まで、その設定歩数のあとから・・・設定歩数以外最終設定歩数までは、一つの低い（ド）の指定音階を一つの出力ポートより出力し、そのポートに接続されたマイコン外の電流制限用の抵抗Ｒ１，Ｒ２（例えば各１００Ω）を通り少し音量が小さい出力で、１歩に１回約５０ｍｓから１５０ｍｓ幅位のＯＮ時間の出力を例えば入出力部からイヤホンに送る。【００１５】また順次歩数カウンタに入力する平均の１歩が設定歩数の１００歩になると、同数と判定され別の記憶した指定音階、（ミ）の音階を別の出力ポートより、１歩に１回出力しマイコン外の抵抗Ｒ２（１００Ω）を通り（ド）の音階より少し音量を大きい出力で、前記イヤホンへ出力し一連の手段を確認し、基へ戻るループの実行を繰り返し行う。【００１６】次に設定歩数と指定音階の関係は、例えば２００歩では（ミ）１回出力し、次の２０１歩においては（ミ）を１回出力すると、２００歩で（ミ）が２回出力したと感じる、そして５００歩で（ファ）を１回、そして６００歩で（ファ）を１回、６０１で（ミ）を１回出力すると、６００歩で（ファ）と（ミ）が続いて出ると感じる。【００１７】再び平均の１歩のループを繰り返し最後に設定した最終歩数を１０００歩とすると、９９９歩までは（ド）の音階を出し１０００歩の最終歩数がくると歩数カウンタと同数であると判定され別の記憶した音階（ラ）を、別のポートより出力しＲ２（１００Ω）だけを通り（ド）の音階より少し大きく入出力部から前記イヤホンに出力して、音を消し消費電流を減らすスリープ状態になりプログラムを完了する。
【産業上の利用の可能性】
【００１８】伴走器が複数あり、うち一つの伴走器においてコピー用ＳＷ（１１）をマイコンの出力側（下のＲ２側）にし呼び出しスイッチ（４）ＯＮで、検知器より始動時の１歩が入ることで、（入力出力兼用）入出力部（７）から記憶した平均の１歩の出力を出す状態にした前記うち一つの伴走器と、又別の伴走器においては、コピー用ＳＷを接点が、開放状態である検知器（１）側（上側）にし、リセット入力スイッチ（２）ＯＮで１歩が入る状態にして、各入出力部を接続し前記うち一つの伴走器から出力を出し、前記別の伴走器の呼び出しスイッチをＯＮにすると前記別の伴走器へコピーができると、行進時歩調を一定にしてプラカードを持つ人が順次１００歩で歩き出す事も出来る。
【図面の簡単な説明】
【００１９】
【図１】スリープ状態から１歩が入り出力を出し完了するまでの、チャート図
【図２】出力ポート（８，９）から抵抗（Ｒ１，Ｒ２）へ接続の、ブロック図
【符号の説明】
【００２０】６、  オプション用スイッチ  （歩行停止時カウント保持用）
７、  （入力出力部兼用）入出力部
８、  マイコンの、うち一つの出力部
９、  マイコンの、別の出力部
１０、オプション用入力部  （多数連続してコピーする時、仮想歩調入力時）
１１、コピータイプ兼用入力出力切り替えスイッチ
【図１】
0003147116.tif 000003
【図２】
0003147116.tif 000004
【手続補正書】
【提出日】平成20年9月17日(2008.9.17)
【手続補正１】
【補正対象書類名】明細書
【補正対象項目名】０００２
【補正方法】変更
【補正の内容】
【０００２】従来、歩行中単音階又は音色で発音するだけの機能の歩数計では、音が単純に続くだけなので耳が疲れまた歩数の確認は、一旦停まって歩数計の表示を確認する方法が殆どであった、報知する方法も一部は下記の引用文献のように、
引用文献（実新Ｈ０２−１３８３６９）は、時間が経過する毎に音程、音調、発音回数が変化すると記述されていますが、これらは同じ周波数で発音回数を変化させた事によるものであり、歩数でなく何時間歩行しているかを知ることが目的となっています。
引用文献（特開２０００−２５３７００）は、多数の音階を記憶した後、その音階を足踏みの着地の時間間隔によって音階の発音時間の長さを変化さし、記憶した音階を一連の楽曲（曲目）として出力する、設定歩数がないため歩数が確認できません。
【手続補正２】
【補正対象書類名】明細書
【補正対象項目名】０００４
【補正方法】変更
【補正の内容】
【０００４】しかし数年間歩行中聴くと静かなところでは節目の音階又は音色も充分聴こえるが、周囲が騒音の出ている所では節目の音階が聞き取りにくくなることが判明したが、電源電圧も限られていることで、これらの問題点を除くことを考案の課題としました。
【手続補正３】
【補正対象書類名】明細書
【補正対象項目名】００１０
【補正方法】変更
【補正の内容】
【００１０】出力する音階の周期と発音の長さを作成する。又音色についてはピアノ、フルートなど同じ音階でも発音体が違うと音色も異なるが本願は音階を中心として説明を行います。
例えば低い（ド）の周期（９５５μｓ）／（マイコンの１実行クロック）＝周期の実行数を出す、発音時間／（ド）の周期＝音長に対する（ド）の周期のループ回数を求め、周期を管理するカウンタとメモリ内の音長カウンタに入れ、周期の実行数を周期の求めた回数だけループするプログラムを作成保存する。（レ）に対しても同様の設定方法で周期８５１μｓにて行う。（ミ）７５８ｓ。（ファ）７１４μｓ。（ソ）６３７μｓ。（ラ）５６８μｓ。（シ）５０６μｓ。（高いド）４７７μｓ。その他の音階又は音色の周期の保存も可能である、又音階の設定は耳ざわりの良い音にする為、周期を少し変更する。
【手続補正４】
【補正対象書類名】明細書
【補正対象項目名】００１３
【補正方法】変更
【補正の内容】
【００１３】そして最終設定歩数になると、同様な処理がされ同数と判定すると記憶エリアより指定した別の音階を呼び出し別のポートより出力した後、音を消し消費電流を減らすスリープ状態になる、これで一連の実行を完了するプログラムの作成を行う。尚ブロック図２のように例えば一つの出力ポートにはマイコン外に電流制限用の抵抗（抵抗以外も可能である）Ｒ１、Ｒ２が直列に接続され、又別の出力ポートはＲ１、Ｒ２の間に接続されている、そしてイヤホンなどを接続するため伴走器の（入力出力部兼用）入出力部へ繋がる。プログラムを変更すると一つのポートから出力することも可能であり、平均の１歩でなく左右の１歩づつの歩数をカウントする方法でも可能である、又難聴者が利用できる光の変化、又出力制御で身体に触れる機器の作動も考案の範囲内である。
【手続補正５】
【補正対象書類名】明細書
【補正対象項目名】００１４
【補正方法】変更
【補正の内容】
【００１４】例えば平均の１歩が入ると一つの低い（ド）の音階を出力するループのプログラムが開始されると、歩数カウンタを加算したのち設定保存した、節目の設定した歩数（設定歩数）を、１００歩とすると１歩から９９歩と１０１歩から次の設定歩数まで、その設定歩数のあとから・・・設定歩数以外最終設定歩数までは、一つの低い（ド）の指定音階を一つの出力ポートより出力し、そのポートに接続されたマイコン外の電流制限抵抗の抵抗Ｒ１，Ｒ２（例えば各１００Ω）を通り少し音量が小さい出力で、１歩に１回約５０ｍｓから１５０ｍｓ幅位のＯＮ時間の出力を例えば入出力部からイヤホンに送る。